(57)【要約】【課題】建物の外壁に施工されて、意匠性に優れ、施工性の良い外壁用エキスパンション・ジョイントを提供する。【解決手段】互いに対向する建物Ａ、Ｂ間の外壁面が設定されたクリアランスＣを有して同一面上に構成されている場合において、該クリアランスＣに外壁用エキスパンション・ジョイントの化粧カバープレートを設けるにあたり、該エキスパンション・ジョイントの化粧カバープレートは複数枚のパネルを連続ハサミ込み丁番式にて連結した伸縮自在のジャバラ形状に構成し、該ジャバラ形状の化粧カバープレートは前記建物Ａ、Ｂ間に装架される際に建物Ａ、Ｂ間の外壁面に対して入溝を造る面落ち或いは互いに相対する外壁内部側にセット・バックして取付けられ、該建物Ａ、Ｂ間のクリアランスＣ内部側に装架された化粧カバープレートは複数枚のパネルから構成されるジャバラ部分の伸縮により建物Ａ、Ｂ間におけるＸ方向、Ｙ方向の可動量に追従可動する構成とした。【選択図】図２
2010236237.tif 000002
【特許請求の範囲】
【請求項１】
互いに対向する建物Ａ、Ｂ間の外壁面が設定されたクリアランスＣを有して同一面上に構成されている場合において、
該クリアランスＣに外壁用エキスパンション・ジョイントの化粧カバープレートを設けるにあたり、
該エキスパンション・ジョイントの化粧カバープレートは複数枚のパネルを連続ハサミ込み丁番式にて連結した伸縮自在のジャバラ形状に構成し、
該ジャバラ形状の化粧カバープレートは前記建物Ａ、Ｂ間に装架される際に建物Ａ、Ｂ間の外壁面に対して入溝を造る面落ち或いは互いに相対する外壁内部側にセット・バックして取付けられ、
該建物Ａ、Ｂ間のクリアランスＣ内部側に装架された化粧カバープレートは複数枚のパネルから構成されるジャバラ部分の伸縮により建物Ａ、Ｂ間におけるＸ方向、Ｙ方向の可動量に追従可動すること、
を特徴とする外壁用エキスパンション・ジョイント。
【請求項２】
互いに対向する建物Ａ、Ｂ間の外壁が外壁コーナー形状を構成して設けられ該外壁コーナー部に設定されたクリアランスＣを有している場合において、
該クリアランスＣに外壁用エキスパンション・ジョイントの化粧カバープレートを設けるにあたり、
該エキスパンション・ジョイントの化粧カバープレートは複数枚のパネルを連続ハサミ込み丁番式にて連結した伸縮自在のジャバラ形状に構成し、
該ジャバラ形状の化粧プレートの一端は外壁面に対して垂直に当接されており他端は前記建物Ａ、Ｂ間でどちらかの外壁面に対して入溝を造る面落ち或いは外壁内部にセット・バックして取付けられ、
該建物Ａ、Ｂ間のクリアランスＣ内部に装架された化粧カバープレートは複数枚のパネルから構成されるジャバラ部分の伸縮により建物Ａ、Ｂ間におけるＸ方向、Ｙ方向の可動量に追従可動すること、
を特徴とする外壁用エキスパンション・ジョイント。
【請求項３】
前記互いに対向する建物Ａ、Ｂ間のクリアランスＣ内部に装架される外壁用エキスパンション・ジョイントの化粧カバープレートは複数枚のパネルからなり、
該複数枚のパネルは建物の階高方向に延びる細長い板状のパネル形状を有しており、
該板状パネルの短勝手方向はバー形状の連続ハサミ込み丁番式にてそれぞれ回動自在に接続されてジャバラ形状の化粧カバープレートを構成し、
該ジャバラ形状の化粧カバープレートをジャバラ部分で折りたたむことにより化粧カバープレートの幅を縮小して前記建物Ａ、Ｂ間のクリアランスＣ内部に吊り上げ、
該建物Ａ、Ｂ間のクリアランスＣ内部にてジャバラ部分を適宜延ばすことで設定されたクリアランスＣ内に化粧カバープレートを効率よく装架可能にしたこと、
を特徴とする請求項１、または請求項２のいずれかに記載された外壁用エキスパンション・ジョイント。
【請求項４】
前記ジャバラ形状の化粧カバープレートは建物の階高方向に長く延びる形状を有し、
該長さは適宜長さに切断してそれぞれバー形状の連続ハサミ込み丁番式有する伸縮自在のパネルを形成して、該伸縮自在のパネルをそれぞれバー形状の連続ハサミ込み丁番式部でジョイントすることで建物Ａ、Ｂ間のクリアランスＣ内部をカバーすること、
を特徴とする請求項１乃至請求項３のいずれかに記載された外壁用エキスパンション・ジョイント。
【請求項５】
前記化粧カバープレートのジャバラ形状部を構成したバー形状の連続ハサミ込み丁番式において、
該バー形状の連続ハサミ込み丁番式のうち建物Ａ、Ｂ間の内部側に位置する連続ハサミ込み丁番式はその先端部に回転軸を突設して設けており、
該回転軸を前記パンタグラフ支持機構の伸縮動作回転軸として装着することにより前記化粧カバープレートをパンタグラフ支持機構に支持して、
該化粧カバープレートとパンタグラフ支持機構が連動して伸縮可動をすること、
を特徴とする請求項１乃至請求項４のいずれかに記載された外壁用エキスパンション・ジョイント。
【請求項６】
前記建物Ａ、Ｂ間のクリアランスＣ内部に任意ピッチで設けられジャバラ形状の化粧カバープレートを建物Ａ、Ｂ間のクリアランスＣ内部に装架する伸縮自在のパンタグラフ支持機構は両端部をそれぞれコ型枠材にて回転自在に挟持され、
該コ型枠材が前記建物のＡ、Ｂ間のクリアランスＣ内部に設置された化粧縁材に丁番を介してそれぞれ回動自在に固着支持されていること、
を特徴とする請求項１乃至請求項５のいずれかに記載された外壁用エキスパンション・ジョイント。
【発明の詳細な説明】
【技術分野】
【０００１】
本発明は、免震建物の外壁用エキスパンション・ジョイントに関するものであり、特に本発明は、相対する建物間の可動量が大きくクリアランス（間隙）が、比較的大きい外壁用エキスパンション・ジョイントを建物の外壁に施工するにあたり、意匠性に優れ、施工性の良い外壁用エキスパンション・ジョイントを提供するものである。
【背景技術】
【０００２】
建築用エキスパンション・ジョイントは、建物にかかる外力等の変動要因から発生する応力の伝達を分断するために設けられた分割ラインのことであり、隣接して建てられた左右の建物同士の激突を防ぐために設けられたクリアランスＣ（間隙）を建物の揺れ動きに追従可動する化粧カバーで塞ぎ、左右の建物を接続、一体化して使用できるようにするジョイント部材のことである。
【０００３】
従って、エキスパンション・ジョイントは、その取付け部材により名称が、外壁用、床用、天井用、屋根用、内壁用といったように異なり、その形状もそれぞれ取付け部位により特性を有して異なっているが、概略すると、地震等によるクリアランスＣ（間隙）の変化に追従して可動する骨材と該骨材に取付けられた化粧縁材及び化粧カバーから構成されている。
【０００４】
免震構造の建物は、建物の下部に設けられた積層ゴムアイソレーターが地震時に地震エネルギーを吸収して、建物の安全性を確保する構造になっており、当該免震構造の建物に設置されるエキスパンション・ジョイントの可動方向は、方位の方向で表示すると地盤に対して水平方向でクリアランスの拡大と収縮方向の方位をＸ、地盤に対して水平方向でクリアランスに対してせん断方向、即ち長手方向のズレをＹ、そして、不同沈下のような鉛直方向に生じる変位で、地盤に対して鉛直方向の変位をＺと表示している。
【０００５】
而して、本発明に関する免震建物の外壁用エキスパンション・ジョイントに関しては、前記、地震等によるクリアランスＣ（間隙）の変化に追従して可動する骨材や該骨材に取付けられた化粧縁材及び化粧カバーがそれぞれＸ方向とＹ方向、並びにＺ方向に可動可能であり、特にＸ方向とＹ方向において、その可動量が大きいことが要求されている。
【０００６】
従って、従来型の外壁用エキスパンション・ジョイントは、相対する外壁面間のクリアランスＣ（間隙）に対して、単にフラットな化粧カバープレートを用意して、該化粧カバープレートにて前記クリアランスＣの間隙を建物の外部側より覆う形状のものが一般的で、該化粧カバープレートは一端が丁番形状の固定バネにより一方の壁面に固定されており、他方は壁面に対して摺動自在でＸ方向、Ｙ方向、そして、Ｚ方向に可動できる構造のものが多い。
【０００７】
斯くして、従来型の外壁用エキスパンション・ジョイントは、相対する外壁面上に化粧カバープレートが大きくはみ出して設置され、当該エキスパンション・ジョイントは、通常、アルミやステンレス等の金属製であることから、タイル貼りや石貼り等による建物の外壁に無粋な金属製突起物による化粧カバープレート材が出現して、建物の意匠を台無しにしてしまうケースがあった。
【０００８】
図１０及び図１１は、従来型の外壁用エキスパンション・ジョイントの形状を示す従来例を説明する斜視断面説明図であり、図１０は、対向する建物A、Bの外壁面がクリアランスＣを介して同一面状にあるタイプ、図１１は、対向する建物A、Bの外壁面がクリアランスCを介して外壁コーナーを形成しているタイプを示している。
【０００９】
また、図１０及び図１１において、互いに対向する建物A、B間には、クリアランスCが設けられており、該クリアランスCを覆う形状のエキスパンション・ジョイント５０または５５が設置されている。
【００１０】
斯くして、図１０及び図１におけるエキスパンション・ジョイントの可動方向は、方位の方向で表示すると地盤に対して水平方向でクリアランスＣの拡大と収縮方向の方位をＸ、地盤に対して水平方向でクリアランスに対してせん断方向、即ち長手方向のズレをＹ、そして、不同沈下のような鉛直方向に生じる変位で、地盤に対して鉛直方向の変位をＺと表示している。
【００１１】
図１０において、エキスパンション・ジョイント５０は、建物Ａ、Ｂ間のクリアランスＣ間に設けられる化粧カバープレート５１、並びに該化粧カバープレート５１を取付けるための枠材５２、５３から構成されている。
【００１２】
そして、前記化粧カバープレート５１は、建物Ａ、Ｂ間に設けられたクリアランスＣの間隙をカバーして塞ぎ、枠材５２側で丁番形状の固定バネ５４を介して固着保持され、他方は壁面に対して摺動自在に構成されていて、建物Ａ、Ｂが、前記Ｘ、Ｙ、Ｚの方向、即ち、図１０において前後、左右、上下に揺れた場合のクリアランスCの変化や可動に追従できるように設置されている。
【００１３】
従って、免震キスパンション・ジョイントの如くクリアランスCが大きくなれば、塞ぎ材となる化粧カバープレート５１の幅は大きなものとなる。
【００１４】
次に、図１１は、所謂、外壁コーナー部分のエキスパンション・ジョイント５５を示し、該エキスパンション・ジョイント５５の化粧カバープレート５６の構造は、外壁Ａに対して垂直に当接する側では、クリアランスＣのＸ、Ｙ方向への可動に対する追従部分を設けることはできないので、Ｌ型の化粧カバープレート５６を外壁Ａ側にて丁番形状の固定バネ５７を介して固定しており、その分、外壁Ｂ側に前記化粧カバープレート５６のクリアランスカバー部分を大きくとる構造となり、化粧カバープレート５６の幅は非常に大きな物となる。
【００１５】
而して、近年は建物の大型化や高層化、そして免震構造の建物が多く建てられるようになってきたことにより、建物間のクリアランスCが、従来の５０mmから３００mm程度であったものが、８００mmから１６００mmと大きくなり、地震等の一時変形では、その可動量も±800mmにも追従出来る免震建物用エキスパンション・ジョイントが多く用いられる様になってきた。
【００１６】
上述の傾向の中で、クリアランスCの大きい外壁用のエキスパンション・ジョイントは、外壁間のクリアランスCをステンレス、アルミ等の金属加工にて作られる化粧カバープレート材で覆うため、当然のことながら化粧カバープレート材の自重が重くなり、該大重量の化粧カバープレート材をしっかりと持設する安全構成と、地震等の一時変形に対して、化粧カバープレート材をスムーズに動かして揺れに追従でき、建物やエキスパンション・ジョイントに損傷を与えない可動機構を備えたエキスパンション・ジョイントの具現化が要望されるようになった。
【００１７】
また、クリアランスCが大きく、可動量も大きな外壁用エキスパンション・ジョイントを図１０および図１１にて説明した従来型の外壁用エキスパンション・ジョイントの構成にて製作すると、化粧カバープレート材の幅が非常に大きくなり、大重量の製品となるために高所作業での取付作業を困難なものにしている。
【００１８】
更に、タイル貼りや、石材を用いた化粧外壁部に、幅広の金属材料で、他の外壁面より突出した形状の縦型帯状エキスパンション・ジョイントが施工されることは、建物の意匠性を著しく阻害するもので、意匠的にもより優れた外観形状を有するエキスパンション・ジョイントの具現化が望まれている。
【発明の開示】
【発明の効果】
【００１９】
本発明によれば、建物の大型化や高層化、そして免震構造の建物が多く建てられるようになったことで、建物間のクリアランスCが、８００mmから１６００mmと大きくなり、地震等の一時変形では、その可動量も±800mmにも追従出来る免震建物用エキスパンション・ジョイントが多く用いられる様になってきた点に対応できる外壁用エキスパンション・ジョイントを提供することができる。
【００２０】
また、本発明は、クリアランスCの大きい従来型の外壁用のエキスパンション・ジョイントに比較して、外壁間のクリアランスCをアルミ押出し形材からなる化粧カバープレート材とアルミ押出し形材からなる連続ハサミ込み丁番式の組合わせにて覆う構成のため、当然のことながら化粧カバープレートの重量が軽くなり、該軽量化は化粧カバープレート材をしっかりと持設する安全構成を推進して、地震等の一時変形に対しても化粧カバープレート材をスムーズに動かして可動量に追従できる機構を提供して、建物やエキスパンション・ジョイントに損傷を与えない可動機構を備えた外壁用エキスパンション・ジョイントを提供することもできる。
【００２１】
更に、本発明は、クリアランスCが大きく、可動量も大きな外壁用エキスパンション・ジョイントに実施されるものであるが、本発明はジャバラ形状を有して伸縮自在の化粧カバープレートを外壁用エキスパンション・ジョイントの化粧材（仕上げ材）に採用することで、施工場所としては、狭い建物Ａ、Ｂ間のクリアランスＣ内に収縮した形状で吊り上げを行い、該化粧カバープレートを取付け位置でクリアランスＣに合わせた幅に延ばすことで、前記クリアランスＣ内に化粧カバープレートを取付ける構成であり該構成は高所での取付け作業を容易にするものである。
【００２２】
そして、タイル貼りや、石材を用いた化粧外壁部に、幅広の金属材料で、他の外壁面より突出した形状の従来型エキスパンション・ジョイントが施工されることは、建物の意匠性を著しく阻害するものであるが、本発明は、外壁用エキスパンション・ジョイントにおいて、化粧カバープレートを建物Ａ、Ｂ間の外壁面に対して入溝を造る面落ち、或いは互いに相対する外壁の内部側にセット・バックして取付ける構造となして、優れた意匠性を有して、且つ、施工性の良い外壁用エキスパンション・ジョイントを提供することができる。
【発明が解決しようとする課題】
【００２３】
本発明が解決しようとする課題は、特に免震建物の外壁に施工されて、意匠性に優れ、施工性の良い外壁用エキスパンション・ジョイントを提供するものである。
【００２４】
本発明は、外壁用エキスパンション・ジョイントの化粧カバープレートを建物Ａ、Ｂ間のクリアランスＣに装架するにあたり、建物Ａ、Ｂ間の外壁面に対して入溝を造る面落ち、或いは互いに相対する外壁の内部側にセット・バックして取付ける構造となし、従来の外壁用エキスパンション・ジョイントが化粧カバープレートを建物の外壁前面に突出して設けた構造で、建物の全体の意匠を著しく悪くしている点を解決した。
【００２５】
また、本願発明において、相対する外壁の内部側にセット・バックして施工される外壁用エキスパンション・ジョイントの化粧カバープレートは、伸縮自在のジャバラ形状を有しており、前記建物Ａ、Ｂ間が設定するクリアランスＣの間隙内に吊り上げて取付け施工する際には、前記ジャバラ形状の化粧カバープレートをジャバラ部分で折りたたむことで化粧カバープレートの幅を縮小して前記建物Ａ、Ｂ間のクリアランスＣ内部に吊り上げることができ、施工場所での取付けに際しては、化粧カバープレートのジャバラ部分を延ばしてクリアランスＣの幅に合わせることで、取付け作業が容易にできるようにした。
【課題を解決する手段】
【００２６】
本発明は、互いに対向する建物Ａ、Ｂ間の外壁面が設定されたクリアランスＣを有して同一面上に構成されている場合において、該クリアランスＣに外壁用エキスパンション・ジョイントの化粧カバープレートを設けるにあたり、該エキスパンション・ジョイントの化粧カバープレートは複数枚のパネルを連続ハサミ込み丁番式にて連結した伸縮自在のジャバラ形状に構成し、該ジャバラ形状の化粧カバープレートは前記建物Ａ、Ｂ間に装架される際に建物Ａ、Ｂ間の外壁面に対して入溝を造る面落ち或いは互いに相対する外壁内部側にセット・バックして取付けられ、該建物Ａ、Ｂ間のクリアランスＣ内部側に装架された化粧カバープレートは複数枚のパネルから構成されるジャバラ部分の伸縮により建物Ａ、Ｂ間におけるＸ方向、Ｙ方向の可動量に追従可動する構成とした。
【００２７】
また、本発明は、互いに対向する建物Ａ、Ｂ間の外壁が外壁コーナー形状を構成して設けられ該外壁コーナー部に設定されたクリアランスＣを有している場合において、該クリアランスＣに外壁用エキスパンション・ジョイントの化粧カバープレートを設けるにあたり、該エキスパンション・ジョイントの化粧カバープレートは複数枚のパネルを連続ハサミ込み丁番式にて連結した伸縮自在のジャバラ形状に構成し、該ジャバラ形状の化粧プレートの一端は外壁面に対して垂直に当接されており他端は前記建物Ａ、Ｂ間でどちらかの外壁面に対して入溝を造る面落ち或いは外壁内部にセット・バックして取付けられ、該建物Ａ、Ｂ間のクリアランスＣ内部に装架された化粧カバープレートは複数枚のパネルから構成されるジャバラ部分の伸縮により建物Ａ、Ｂ間におけるＸ方向、Ｙ方向の可動量に追従可動する構成とした。
【００２８】
而して、本発明において互いに対向する建物Ａ、Ｂ間のクリアランスＣ内部に装架される外壁用エキスパンション・ジョイントの化粧カバープレートは、複数枚のパネルからなり、該複数枚のパネルは建物の階高方向に延びる細長い板状のパネル形状を有しており、該板状パネルの短勝手方向はバー形状の連続ハサミ込み丁番式にてそれぞれ回動自在に接続されてジャバラ形状の化粧カバープレートを構成し、該ジャバラ形状の化粧カバープレートをジャバラ部分で折りたたむことにより化粧カバープレートの幅を縮小して前記建物Ａ、Ｂ間のクリアランスＣ内部に吊り上げ、
該建物Ａ、Ｂ間のクリアランスＣ内部にてジャバラ部分を適宜延ばすことで設定されたクリアランスＣ内に化粧カバープレートを効率よく装架可能にした。
【００２９】
また、本発明において、前記ジャバラ形状の化粧カバープレートは、建物の階高方向に長く延びる形状を有し、該長さは適宜長さに切断してそれぞれバー形状の連続ハサミ込み丁番式有する伸縮自在のパネルを形成して、該伸縮自在のパネルをそれぞれバー形状の連続ハサミ込み丁番式部でジョイントすることで建物Ａ、Ｂ間のクリアランスＣ内部をカバーする構成が好ましい。
【００３０】
更に、本発明は、前記化粧カバープレートのジャバラ形状部を構成したバー形状の連続ハサミ込み丁番式において、該バー形状の連続ハサミ込み丁番式のうち建物Ａ、Ｂ間の内部側に位置する連続ハサミ込み丁番式はその先端部に回転軸を突設して設けており、該回転軸を前記パンタグラフ支持機構の伸縮動作回転軸として装着することにより前記化粧カバープレートをパンタグラフ支持機構に支持して、該化粧カバープレートとパンタグラフ支持機構が連動して伸縮可動をする構成が好ましい。
【００３１】
そして、本発明において、前記建物Ａ、Ｂ間のクリアランスＣ内部に任意ピッチで設けられジャバラ形状の化粧カバープレートを建物Ａ、Ｂ間のクリアランスＣ内部に装架する伸縮自在のパンタグラフ支持機構は、両端部をそれぞれコ型枠材にて回転自在に挟持され、該コ型枠材が前記建物のＡ、Ｂ間のクリアランスＣ内部に設置された化粧縁材に丁番を介してそれぞれ回動自在に固着支持されている構成であることが好ましい。
【発明を実施するための最良の形態】
【００３２】
本発明は、免震建物の外壁用エキスパンション・ジョイントに関するものであり、特に本発明は、相対する建物間の可動量が大きくクリアランス（間隙）が、比較的大きい外壁用エキスパンション・ジョイントを建物の外壁に施工するにあたり、意匠性に優れ、施工性の良い外壁用エキスパンション・ジョイントを提供するものである。
【００３３】
而して、本発明に関する免震建物の外壁用エキスパンション・ジョイントに関しては、前記、地震等によるクリアランスＣ（間隙）の変化に追従して可動する化粧縁材や化粧カバープレートがそれぞれＸ方向とＹ方向、並びにＺ方向に可動可能であり、特にＸ方向とＹ方向において、その可動量が大きいことが要求されている。
【００３４】
従って、従来型の外壁用エキスパンション・ジョイントは、相対する外壁面間のクリアランスＣ（間隙）に対して、単にフラットな化粧カバープレートを用意して、該化粧カバープレートにて前記クリアランスＣの間隙を建物の外部側より覆う形状のものが一般的で、該化粧カバープレートは一端が丁番形状の固定バネにより一方の壁面に固定されており、他方は壁面に対して摺動自在でＸ方向、Ｙ方向、そして、Ｚ方向に可動できる構造のものが多い。
【００３５】
然しながら、従来型の外壁用エキスパンション・ジョイントは、相対する外壁面上に化粧カバープレートが大きくはみ出して設置され、該エキスパンション・ジョイントは、通常、アルミやステンレス等の金属製であることから、タイル貼りや石貼り等による建物の外壁に無粋な金属製突起物による化粧カバープレート材が出現して、建物の意匠を台無しにしてしまうケースがあった。
【００３６】
本発明は、上記従来型の外壁エキスパンション・ジョイントに鑑みてなされたもので、本発明は、互いに対向する建物Ａ、Ｂ間の外壁面が設定されたクリアランスＣを有して同一面上に構成されている場合において、該クリアランスＣに外壁用エキスパンション・ジョイントの化粧カバープレートを設けるにあたり、該エキスパンション・ジョイントの化粧カバープレートは複数枚のパネルを連続ハサミ込み丁番式にて連結した伸縮自在のジャバラ形状に構成し、該ジャバラ形状の化粧カバープレートは前記建物Ａ、Ｂ間に装架される際に建物Ａ、Ｂ間の外壁面に対して入溝を造る面落ち或いは互いに相対する外壁内部側にセット・バックして取付けられ、該建物Ａ、Ｂ間のクリアランスＣ内部側に装架された化粧カバープレートは複数枚のパネルから構成されるジャバラ部分の伸縮により建物Ａ、Ｂ間におけるＸ方向、Ｙ方向の可動量に追従可動する構成とした。
【００３７】
また、本発明の他の実施例では、所謂、外壁コーナーに本発明を実施した例を示し、当該実施例においては、互いに対向する建物Ａ、Ｂ間の外壁が外壁コーナー形状を構成して設けられ該外壁コーナー部に設定されたクリアランスＣを有している場合において、該クリアランスＣに外壁用エキスパンション・ジョイントの化粧カバープレートを設けるにあたり、該エキスパンション・ジョイントの化粧カバープレートは複数枚のパネルを連続ハサミ込み丁番式にて連結した伸縮自在のジャバラ形状に構成し、該ジャバラ形状の化粧プレートの一端は外壁面に対して垂直に当接されており他端は前記建物Ａ、Ｂ間でどちらかの外壁面に対して入溝を造る面落ち或いは外壁内部にセット・バックして取付けられ、該建物Ａ、Ｂ間のクリアランスＣ内部に装架された化粧カバープレートは複数枚のパネルから構成されるジャバラ部分の伸縮により建物Ａ、Ｂ間におけるＸ方向、Ｙ方向の可動量に追従可動する構成とした。
【００３８】
そして、本発明においては、上記発明を実施するために、ジャバラ形状の化粧プレートの構成や該ジャバラ形状の化粧プレートを支持して可動するためのパンタグラフ機構、また、本発明を防火区画にて実施するために耐火仕様タイプを提供した。
【実施例１】
【００３９】
図１乃至図８は本発明の実施例１を詳説する説明図であり、図１は本発明の外壁用エキスパンション・ジョイントを説明する外観正面図であり一例として２ＦＬから４ＦＬ間を図示しており、図２は本発明の外壁用エキスパンション・ジョイントを説明する要部断面拡大図であり、図１におけるａ−ａ部分断面を図示している。
【００４０】
図３は、図２の要部拡大図で、連続ハサミ込み丁番式、及び化粧パネルプレートの形状を説明する断面図で、図４は図２の要部拡大図で本発明の外壁エキスパンション・ジョイントを建物内部側より見た背面図で、化粧カバープレートとパンタグラフ支持機構との連結状態を示す説明図、図５は図４に示す連続ハサミ込み丁番式部において化粧カバープレートズレ防止機構を説明する斜視拡大図である。
【００４１】
而して、図２、並びに図６乃至図８は本発明における外壁用エキスパンション・ジョイントの動作説明図であり、図２の状態から建物Ａ、Ｂ間のクリアランスＣが、Ｘ方向やＹ方向に可動してクリアランスＣを拡大並びに収縮した場合を示す説明図である。
【００４２】
図１において、互いに対向する建物Ａ、Ｂ間の外壁面１、２にはクリアランスＣを有しており、外壁用エキスパンション・ジョイント３の化粧カバープレート４は建物Ａ、Ｂ間の外壁面に対して入溝５を造る面落ち或いは互いに相対する外壁内部側にセット・バックして取付けられている。
【００４３】
而して、図１は外壁用エキスパンション・ジョイント３を説明する外観正面図であり、一例として２ＦＬから４ＦＬ間を図示しており、図１において、６ａ、６ｂ、６ｃ・・・は前記化粧カバープレート４を回動自在に連結する外部連続ハサミ込み丁番式、７ａ、７ｂ、７ｃ・・・は裏面で前記化粧カバープレート４、４、４・・・を伸縮自在に保持するパンタグラフ支持機構、８ａ、８ｂ、８ｃ・・・は階高部分で前記化粧カバープレート４をジョイントしたり該ジョイント部分でそれぞれの化粧カバープレート４がズレて落下しないように構成したジョイント・アンド・ズレ防止機構、９ａ、９ｂ、９ｃ・・・と１０ａ、１０ｂ、１０ｃ・・・は前記クリアランスＣ内部に設けられたアングル枠１１に任意ピッチで、且つ回動自在に設けられた丁番である。
【００４４】
図２は、図１におけるａ−ａ部分断面図であり、互いに対向する建物Ａ、Ｂ間の外壁面１、２にはクリアランスＣを有しており、外壁用エキスパンション・ジョイント３の化粧カバープレート４は建物Ａ、Ｂ間の外壁面に対して入溝５を造る面落ち或いは互いに相対する外壁内部側にセット・バックして取付けられている。
【００４５】
図２において、６ａ、６ｂ、６ｃ・・・は前記化粧カバープレート４を回動自在に連結する外部連続ハサミ込み丁番式、７ｄは裏面で前記化粧カバープレート４、４、４・・・を伸縮自在に保持するパンタグラフ支持機構、９ｄ、１０ｄはクリアランスＣ内部に設けられたアングル枠１１それぞれに任意ピッチで、且つ回動自在に設けられた丁番である。
【００４６】
また、１２ａ、１２ｂ、１２ｃ・・・は前記パンタグラフ支持機構７ｄに回転軸１３ａ、１３ｂ、１３ｃ・・・を介して取付けられている内部連続ハサミ込み丁番式で、前記外部連続ハサミ込み丁番式６ａ、６ｂ、６ｃ・・・と内部連続ハサミ込み丁番式１２ａ、１２ｂ、１２ｃ・・・は前記化粧カバープレート４をその短勝手方向でそれぞれ回転可能に挟持しており、ジャバラ形状で伸縮自在の化粧カバープレート４を形成している。
【００４７】
尚、図２において、１４、１４はアングル枠１１、１１に取付けられた化粧縁材、１５、１５は可撓性材料からなる化粧シートである。
【００４８】
また、図２の平面断面図においてはエキスパンション・ジョイントの可動方向は矢印Ｘ、Ｙにて示しており、Ｘ方向は地盤に対して水平方向でクリアランスＣの拡大と収縮方向の方位を示しており、Ｙ方向は地盤に対して水平方向でクリアランスＣに対してせん断方向、即ち長手方向のズレを示している。
【００４９】
図３は、図２の要部拡大図で、外部連続ハサミ込み丁番式６ａ、６ｂ、６ｃ・・・と内部連続ハサミ込み丁番式１２ａ、１２ｂ、１２ｃ・・・、及び化粧パネルプレート４、４、４・・・の形状を説明する断面図で、該化粧パネルプレート４、４、４・・・の短勝手方向はそれぞれアルミ押出し形材にて形成されたフック形状断面１６を有し、該それぞれのフック形状断面１６は、同様にアルミ押出し形材にて形成された外部連続ハサミ込み丁番式６ａ、６ｂ、６ｃ・・・、内部連続ハサミ込み丁番式１２ａ、１２ｂ、１２ｃ・・・内に形成されている軸上Ｒ部１７、１８に嵌合されて回動自在に構成されている。
【００５０】
また、前記図２にて説明したアングル枠１１設けられた丁番９ｄ、１０ｄは、コ型枠材１９に一端を接続され、該コ型枠材１９は建物Ａ、Ｂ間のクリアランスＣ内部に装架するパンタグラフ支持機構７ｄを挟持して、該パンタグラフ支持機構７ｄを伸縮自在に保持している。
【００５１】
斯くして、図４は図２の要部拡大図で本発明の外壁エキスパンション・ジョイント３を建物内部側より見た背面図で、化粧カバープレート４とパンタグラフ支持機構７ｄとの連結状態を示す説明図で、図４において、１２ａ、１２ｂ、１２ｃ・・・は内部連続ハサミ込み丁番式、６ａ、６ｂ、１６ｃ・・・は外部連続ハサミ込み丁番式、１０ｄは丁番、１９はコ型枠材、７ｄはパンタグラフ支持機構である。
【００５２】
そして、パンタグラフ支持機構７ｄは該パンタグラフ支持機構７ｄを構成するアーム２０ａ、２０ｂ、２０ｃ、・・・とアーム２１ａ、２１ｂ、２１ｃ・・・から構成される伸縮自在の化粧カバープレート４の保持機構となる。
【００５３】
また、図４の８ａ、８ｂ、８ｃ・・・は化粧カバープレート４、４、４・・・のジョイント・アンド・ズレ防止機構であり、図５は、ジョイント・アンド・ズレ防止機構８ａを拡大した斜視図であり、内部連続ハサミ込み丁番式１２ａ、１２ｂ、１２ｃ・・・の任意個所にストッパー２２を設けて、該ストッパー２２にそれぞれの化粧カバープレート４に設けた切欠部２３を嵌合することにより、化粧カバープレート４は内部連続ハサミ込み丁番式１２ａ、１２ｂ、１２ｃ・・・内にズレることなく嵌着するので、当該機構は化粧カバープレート４のジョイント部等で用いられる。
【００５４】
尚、前記ジョイント・アンド・ズレ防止機構８ａ、８ｂ、８ｃ・・・は内部連続ハサミ込み丁番式１２ａ、１２ｂ、１２ｃ・・・に実施した例に基づいて説明したが、外部連続ハサミ込み丁番式６ａ、６ｂ、１６ｃ・・・に実施されてもその効果を発揮するものである。
【００５５】
次に、図２、並びに図６乃至図８は本発明における外壁用エキスパンション・ジョイントの動作説明図であり、図２の状態から建物Ａ、Ｂ間のクリアランスＣが、Ｘ方向やＹ方向に可動してクリアランスＣを拡大並びに収縮した場合を説明する。
【００５６】
図２、並びに図６乃至図８において、図２と同一符号は同一構成要素を示しており、互いに対向する建物Ａ、Ｂ間の外壁面１、２にはクリアランスＣを有しており、外壁用エキスパンション・ジョイント３の化粧カバープレート４は建物Ａ、Ｂ間の外壁面に対して入溝５を造る面落ち或いは互いに相対する外壁内部側にセット・バックして取付けられている。
【００５７】
そして、６ａ、６ｂ、６ｃ・・・は前記化粧カバープレート４を回動自在に連結する外部連続ハサミ込み丁番式、７ｄは裏面で前記化粧カバープレート４、４、４・・・を伸縮自在に保持するパンタグラフ支持機構、９ｄ、１０ｄはクリアランスＣ内部に設けられたアングル枠１１それぞれに任意ピッチで、且つ回動自在に設けられた丁番である。
【００５８】
また、１２ａ、１２ｂ、１２ｃ・・・は前記パンタグラフ支持機構７ｄに回転軸１３ａ、１３ｂ、１３ｃ・・・を介して取付けられている内部連続ハサミ込み丁番式で、前記外部連続ハサミ込み丁番式６ａ、６ｂ、６ｃ・・・と内部連続ハサミ込み丁番式１２ａ、１２ｂ、１２ｃ・・・は前記化粧カバープレート４をその短勝手方向でそれぞれ回転可能に挟持しており、ジャバラ形状で伸縮自在の化粧カバープレート４を形成している。
【００５９】
斯くして、図２は設定されたクリアランスＣ内に本発明の外壁エキスパンション・ジョイント３が設置された状態を示している。
【００６０】
図６は地震等の外因により建物Ａ、Ｂ間のクリアランスＣが、Ｘプラス方向に可動してクリアランスＣを拡大した場合を示している。
【００６１】
また、図７は外因により建物Ａ、Ｂ間のクリアランスＣが、Ｘマイナス方向に可動してクリアランスＣを縮小した場合を示している。
【００６２】
斯くして、図８は、外因により建物Ａ、Ｂ間のクリアランスＣが、Ｙプラス方向に可動してクリアランスＣを拡大した場合を示すもので、本発明は、互いに対向する建物Ａ、Ｂ間の外壁面１、２が設定されたクリアランスＣを有して同一面上に構成されている場合において、該クリアランスＣに外壁用エキスパンション・ジョイント３の化粧カバープレート４を設けるにあたり、該エキスパンション・ジョイント３の化粧カバープレート４は複数枚のパネルを外部連続ハサミ込み丁番式６ａ、６ｂ、６ｃ・・・や内部連続ハサミ込み丁番式１２ａ、１２ｂ、１２ｃ・・・にて連結した伸縮自在のジャバラ形状に構成し、該ジャバラ形状の化粧カバープレート４は前記建物Ａ、Ｂ間に装架される際に建物Ａ、Ｂ間の外壁面１、２に対して入溝５を造る面落ち或いは互いに相対する外壁内部側にセット・バックして取付けられ、該建物Ａ、Ｂ間のクリアランスＣ内部側に装架された化粧カバープレート４は複数枚のパネルから構成されるジャバラ部分の伸縮により建物Ａ、Ｂ間におけるＸ方向、Ｙ方向の可動量に追従可動する構成とした。
【００６３】
本発明は、前記互いに対向する建物Ａ、Ｂ間のクリアランスＣ内部に装架される外壁用エキスパンション・ジョイント３の化粧カバープレート４は複数枚のパネルからなり、該複数枚のパネルは建物の階高方向に延びる細長い板状のパネル形状を有しており、該板状パネルの短勝手方向はバー形状の外部連続ハサミ込み丁番式６ａ、６ｂ、６ｃ・・・や内部連続ハサミ込み丁番式１２ａ、１２ｂ、１２ｃ・・・にてそれぞれ回動自在に接続されてジャバラ形状の化粧カバープレート４を構成し、該ジャバラ形状の化粧カバープレート４をジャバラ部分で折りたたむことにより化粧カバープレート４の幅を縮小して前記建物Ａ、Ｂ間のクリアランスＣ内部に吊り上げ、該建物Ａ、Ｂ間のクリアランスＣ内部にて化粧カバープレート４のジャバラ部分を適宜延ばすことで設定されたクリアランスＣ内に化粧カバープレート４を効率よく装架可能にした。
【００６４】
また、本発明の前記ジャバラ形状の化粧カバープレート４は、建物の階高方向に長く延びる形状を有することが可能で、該長さは適宜長さに切断してそれぞれバー形状の外部連続ハサミ込み丁番式６ａ、６ｂ、６ｃ・・・や内部連続ハサミ込み丁番式１２ａ、１２ｂ、１２ｃ・・・有する伸縮自在のパネルを形成して、該伸縮自在のパネルをそれぞれバー形状の連続ハサミ込み丁番式部でジョイントすることで建物Ａ、Ｂ間のクリアランスＣ内部を伸縮自在にカバーすることが可能である。
【００６５】
更に、本発明は、前記化粧カバープレート４のジャバラ形状部を構成したバー形状の外部連続ハサミ込み丁番式６ａ、６ｂ、６ｃ・・・や内部連続ハサミ込み丁番式１２ａ、１２ｂ、１２ｃ・・・において、該バー形状の連続ハサミ込み丁番式のうち建物Ａ、Ｂ間の内部側に位置する内部連続ハサミ込み丁番式１２ａ、１２ｂ、１２ｃ・・・はその先端部に回転軸２５、２５、２５・・・を突設して設けており、該回転軸１３ａ、１３ｂ、１３ｃ・・・を前記パンタグラフ支持機構７ａ、７ｂ、７ｃ・・・の伸縮動作回転軸として装着することにより前記化粧カバープレート４をパンタグラフ支持機構７ａ、７ｂ、７ｃ・・・に支持して、該化粧カバープレート４とパンタグラフ支持機構７ａ、７ｂ、７ｃ・・・が連動して伸縮可動をする構成とした。
【００６６】
そして、本発明において、前記建物Ａ、Ｂ間のクリアランスＣ内部に任意ピッチで設けられジャバラ形状の化粧カバープレート４を建物Ａ、Ｂ間のクリアランスＣ内部に装架する伸縮自在のパンタグラフ支持機構パンタグラフ支持機構７ａ、７ｂ、７ｃ・・・は、両端部をそれぞれコ型枠材１９にて回転自在に挟持され、
該コ型枠材１９が前記建物のＡ、Ｂ間のクリアランスＣ内部に設置された化粧縁材１４に丁番を介してそれぞれ回動自在に固着支持されているものである。
【実施例２】
【００６７】
また、本発明の他の実施例では、所謂、外壁コーナーに本発明を実施した例を示し、当該実施例においては、互いに対向する建物Ａ、Ｂ間の外壁が外壁コーナー形状を構成して設けられ該外壁コーナー部に設定されたクリアランスＣを有している場合において、該クリアランスＣに外壁用エキスパンション・ジョイントの化粧カバープレートを設けるにあたり、該エキスパンション・ジョイントの化粧カバープレートは複数枚のパネルを連続ハサミ込み丁番式にて連結した伸縮自在のジャバラ形状に構成し、該ジャバラ形状の化粧プレートの一端は外壁面に対して垂直に当接されており他端は前記建物Ａ、Ｂ間でどちらかの外壁面に対して入溝を造る面落ち或いは外壁内部にセット・バックして取付けられ、該建物Ａ、Ｂ間のクリアランスＣ内部に装架された化粧カバープレートは複数枚のパネルから構成されるジャバラ部分の伸縮により建物Ａ、Ｂ間におけるＸ方向、Ｙ方向の可動量に追従可動する構成とした。
【００６８】
そして、本発明においては、上記発明を実施するために、ジャバラ形状の化粧プレートの構成や該ジャバラ形状の化粧プレートを支持して可動するためのパンタグラフ機構、更には、図９に示すごとく、回動並びに伸縮自在な保持機構２４を備え、外伸縮自在な保持機構２４に耐火帯２５ａ、２５ｂと止水シート２６を備えて、本発明を防火区画にて実施するために耐火仕様タイプを提供した。
【産業上の利用可能性】
【００６９】
斯くして、本発明は、免震建物の外壁用エキスパンション・ジョイントに関するもので、特に本発明は、相対する建物間の可動量が大きくクリアランス（間隙）が、比較的大きい外壁用エキスパンション・ジョイントを建物の外壁に施工するにあたり、意匠性に優れ、施工性の良い外壁用エキスパンション・ジョイントを提供するもので、その産業上利用の可能性は多大なものがある。
【図面の簡単な説明】
【００７０】
【図１】本発明の外壁用エキスパンション・ジョイントを説明する外観正面図であり、一例として２ＦＬから４ＦＬ間を図示している。
【図２】本発明の外壁用エキスパンション・ジョイントを説明する要部断面拡大図であり、図１において例えば、ａ−ａ部分断面を図示している。
【図３】図２の要部拡大図で、連続ハサミ込み丁番式、及び化粧パネルプレートの形状を説明する断面図である。
【図４】図２の要部拡大図で本発明の外壁エキスパンション・ジョイントを建物内部側より見た背面図で、化粧カバープレートとパンタグラフ支持機構との連結状態を示す説明図である。
【図５】図４に示す連続ハサミ込み丁番式部において化粧カバープレートズレ防止機構を説明する斜視拡大図である。
【図６】本発明における外壁用エキスパンション・ジョイントの動作説明図であり、図２の状態から建物Ａ、Ｂ間のクリアランスＣが、Ｘプラス方向に可動してクリアランスＣを拡大した場合を示す説明図である。
【図７】本発明における外壁用エキスパンション・ジョイントの動作説明図であり、図２の状態から建物Ａ、Ｂ間のクリアランスＣが、Ｘマイナス方向に可動してクリアランスＣを縮小した場合を示す説明図である。
【図８】本発明における外壁用エキスパンション・ジョイントの動作説明図であり、図２の状態から建物Ａ、Ｂ間のクリアランスＣが、Ｙプラス方向に可動してクリアランスＣを拡大した場合を示す説明図である。
【図９】本発明における外壁用エキスパンション・ジョイントにおいて、耐火帯と止水防止シートを備えた例を示す断面図である。
【図１０】従来を説明する斜視図である。
【図１１】他の従来例を説明する斜視図である。
【符号の説明】
【００７１】
１  外壁面
２  外壁面
３  外壁用エキスパンション・ジョイント
４  化粧カバープレート
５  入溝
６ａ、６ｂ、６ｃ・・・  外部連続ハサミ込み丁番式
７ａ、７ｂ、７ｃ・・・  パンタグラフ支持機構
８ａ、８ｂ、８ｃ・・・  ジョイント・アンド・ズレ防止機構
９ａ、９ｂ、９ｃ・・・  丁番
１０ａ、１０ｂ、１０ｃ・・・  丁番
１１  アングル枠
１２ａ、１２ｂ、１２ｃ・・・  内部連続ハサミ込み丁番式
１３ａ、１３ｂ、１３ｃ・・・  回転軸
１４  化粧縁材
１５  化粧シート
１６  フック形状断面
１７  軸上Ｒ部
１８  軸上Ｒ部
１９  コ型枠材
２０  アーム
２１ａ、２１ｂ、２１ｃ・・・  アーム
２２  ストッパー
２３  切欠部
２４  伸縮自在な保持機構
２５ａ、２５ｂ  耐火帯
２６  止水シート
Ａ  建物
Ｂ  建物
Ｃ  クリアランス
Ｘ  クリアランスＣの拡大と収縮方向の変位
Ｙ  クリアランスＣに対してせん断方向の変位
Ｚ  地盤に対して鉛直方向の変位
【図２】
2010236237.tif 000003
【図３】
2010236237.tif 000004
【図４】
2010236237.tif 000005
【図５】
2010236237.tif 000006
【図６】
2010236237.tif 000007
【図７】
2010236237.tif 000008
【図８】
2010236237.tif 000009
【図９】
2010236237.tif 000010
【図１０】
2010236237.tif 000011
【図１１】
2010236237.tif 000012
【図１】
2010236237.tif 000013